(57)【特許請求の範囲】
【請求項１】
文字を入力するための操作部と、
前記操作部の操作により入力された文字を表示する表示部と、
文字入力機能が起動している状態で、定型の文章を入力させる第１の処理と、前記操作部により入力された文字の変換を行なわせる第２の処理とが同一の操作手順により行われるように制御する制御部と、を備え、
前記制御部は、前記操作部の操作により入力されて前記表示部に表示される入力文字の入力状態に応じて、前記操作手順により前記第１の処理を行うか又は前記第２の処理を行うかを切り替え、
さらに前記制御部は、
前記入力文字の入力状態において、少なくとも一の未確定文字を含む場合は、前記操作手順により前記第２の処理を行うように切り替えて、前記未確定文字の変換を可能とし、
前記入力文字が全て確定文字である場合は、前記操作手順により前記第１の処理を行うように切り替えて、前記定型の文章の入力を可能とする携帯電子機器。
【請求項２】
前記制御部は、前記入力文字の入力状態において、一文字も入力されていない場合は、前記操作手順により前記第１の処理を行うように切り替えて、前記定型の文章の入力を可能とする請求項１記載の携帯電子機器。
【請求項３】
前記制御部は、前記入力文字の入力状態において、入力文字が英字、数字又は記号のいずれかのみである場合は、前記操作手順により前記第１の処理を行うように切り替えて、前記定型の文章の入力を可能とする請求項１又は２に記載の携帯電子機器。
【請求項４】
前記制御部は、前記操作手順における前記第１の処理又は前記第２の処理の切り替えに応じて、前記表示部に表示されているソフトキーの表示をそれぞれの操作に適したものに切り替える請求項１乃至３のいずれか一項に記載の携帯電子機器。
【請求項５】
前記制御部は、前記操作部の操作により文字入力機能が起動された場合に、複数の文字から一の文字を選択するための文字パレットと、前記操作手順により前記第１の処理を行うことを示す情報を前記表示部に表示させる請求項１記載の携帯電子機器。
【請求項６】
文字を入力するための文字入力工程と、
前記文字入力工程により入力された文字を表示部に表示する表示工程と、
文字入力機能が起動している状態で、定型の文章を入力させる第１の処理と、前記文字入力工程により入力された文字の変換を行なわせる第２の処理とが同一の操作手順により行われるように制御する制御工程と、を備え、
前記制御工程は、
前記文字入力工程により入力されて前記表示部に表示される入力文字の入力状態に応じて、前記操作手順により前記第１の処理を行うか又は前記第２の処理を行うかを切り替え、
少なくとも一の未確定文字を含む場合は、前記第２の処理を行うように切り替えて、前記未確定文字の変換し、
前記入力文字が全て確定文字である場合は、前記第１の処理を行うように切り替えて、前記定型の文章の入力をする表示制御方法。
【請求項７】
文字を入力するための文字入力工程と、
前記文字入力工程により入力された文字を表示部に表示する表示工程と、
文字入力機能が起動している状態で、定型の文章を入力させる第１の処理と、前記文字入力工程により入力された文字の変換を行なわせる第２の処理とが同一の操作手順により行われるように制御する制御工程と、をコンピュータによって実現するための表示制御プ
ログラムであって、
前記制御工程は、
前記文字入力工程により入力されて前記表示部に表示される入力文字の入力状態に応じて、前記操作手順により前記第１の処理を行うか又は前記第２の処理を行うかを切り替え、
少なくとも一の未確定文字を含む場合は、前記第２の処理を行うように切り替えて、前記未確定文字の変換し、
前記入力文字が全て確定文字である場合は、前記第１の処理を行うように切り替えて、前記定型の文章の入力をする表示制御プログラム。
【発明の詳細な説明】
【技術分野】
【０００１】
本発明は、文字の入力機能を有する携帯電子機器、表示制御方法及び表示制御プログラムに関する。
【背景技術】
【０００２】
文字の入力機能を有する携帯電子機器では、メモ帳等のアプリケーションを起動して、文字の入力を行う場合、定型文（例えば、「おはようございます」等）を利用して文章の入力を行う機能と、入力した文字に対して変換を行う機能（例えば、「おはよう」と入力した文字を、所定の選択候補（例えば、「お早う」、「オハヨウ」）の中から一の変換候補（例えば、「お早う」）を選択する機能）とを併用して、文章作成効率の向上を図る技術が一般的に知られている（例えば、特許文献１を参照）。
【先行技術文献】
【特許文献】
【０００３】
【特許文献１】特開２００９−１１０２４６号公報
【発明の概要】
【発明が解決しようとする課題】
【０００４】
ところで、定型文を利用する機能を利用するための操作と、文字の変換を行う機能を利用するための操作とは、それぞれ異なる階層のメニューに配置されており、容易に選択して使い分けることが困難であった。
【０００５】
そこで、本発明は、定型文を利用する機能と文字の変換を行う機能の利用を容易に選択して使い分けることを可能とする携帯電子機器、表示制御方法及び表示制御プログラムを提供することを一つの目的とする。
【課題を解決するための手段】
【０００６】
本発明に係る携帯電子機器は、上記課題を解決するために、文字を入力するための操作部と、前記操作部の操作により入力された文字を表示する表示部と、文字入力機能が起動している状態で、定型の文章を入力させる第１の処理と、前記操作部により入力された文字の変換を行なわせる第２の処理とが同一の操作手順により行われるように制御する制御部と、を備え、前記制御部は、前記操作部の操作により入力されて前記表示部に表示される入力文字の入力状態に応じて、前記操作手順により前記第１の処理を行うか又は前記第２の処理を行うかを切り替える構成である。
【０００７】
また、携帯電子機器では、前記制御部は、前記入力文字の入力状態において、少なくとも一の未確定文字を含む場合は、前記操作手順により前記第２の処理を行うように切り替えて、前記未確定文字の変換を可能とする構成でも良い。
【０００８】
また、携帯電子機器では、前記制御部は、前記入力文字の入力状態において、一文字も入力されていない場合は、前記操作手順により前記第１の処理を行うように切り替えて、前記定型の文章の入力を可能とする構成でも良い。
【０００９】
また、携帯電子機器では、前記制御部は、前記入力文字の入力状態において、入力文字が全て確定文字である場合は、前記操作手順により前記第１の処理を行うように切り替えて、前記定型の文章の入力を可能とする構成でも良い。
【００１０】
また、携帯電子機器では、前記制御部は、前記入力文字の入力状態において、入力文字が英字、数字又は記号のいずれかのみである場合は、前記操作手順により前記第１の処理を行うように切り替えて、前記定型の文章の入力を可能とする構成でも良い。
【００１１】
また、携帯電子機器では、前記制御部は、前記操作手順における前記第１の処理又は前記第２の処理の切り替えに応じて、前記表示部に表示されているソフトキーの表示をそれぞれの操作に適したものに切り替える構成でも良い。
【００１２】
また、携帯電子機器では、前記制御部は、前記操作部の操作により文字入力機能が起動された場合に、複数の文字から一の文字を選択するための文字パレットと、前記操作手順により前記第１の処理を行うことを示す情報を前記表示部に表示させる構成でも良い。
【００１３】
本発明に係る表示制御方法は、上記課題を解決するために、文字を入力するための文字入力工程と、前記文字入力工程により入力された文字を表示部に表示する表示工程と、文字入力機能が起動している状態で、定型の文章を入力させる第１の処理と、前記文字入力工程により入力された文字の変換を行なわせる第２の処理とが同一の操作手順により行われるように制御する制御工程と、を備え、前記制御工程は、前記文字入力工程により入力されて前記表示部に表示される入力文字の入力状態に応じて、前記操作手順により前記第１の処理を行うか又は前記第２の処理を行うかを切り替える。
【００１４】
本発明に係る表示制御プログラムは、上記課題を解決するために、文字を入力するための文字入力工程と、前記文字入力工程により入力された文字を表示部に表示する表示工程と、文字入力機能が起動している状態で、定型の文章を入力させる第１の処理と、前記文字入力工程により入力された文字の変換を行なわせる第２の処理とが同一の操作手順により行われるように制御する制御工程と、をコンピュータによって実現するための表示制御プログラムであって、前記制御工程は、前記文字入力工程により入力されて前記表示部に表示される入力文字の入力状態に応じて、前記操作手順により前記第１の処理を行うか又は前記第２の処理を行うかを切り替える。
【発明の効果】
【００１５】
本発明によれば、定型文を利用する機能と文字の変換を行う機能の利用を容易に選択して使い分けることを可能とする。
【図面の簡単な説明】
【００１６】
【図１】携帯電話機の外観斜視図である。
【図２】携帯電話機の機能を示す機能ブロック図である。
【図３】携帯電話機により漢字変換を行う場合の動作についての説明に供するフローチャートである。
【図４】携帯電話機により漢字変換を行う場合の動作についての説明に供する図である。
【図５】携帯電話機により定型文の入力を行う場合の動作についての説明に供するフローチャートである。
【図６】携帯電話機により定型文の入力を行う場合の動作についての説明に供する図である。
【発明を実施するための形態】
【００１７】
以下、本発明を実施するための好ましい実施形態について、図面を参照しながら説明する。まず、本発明の携帯電子機器の一実施形態に係る携帯電話機１の基本構造について、図１を参照しながら説明する。図１は、携帯電話機１の外観斜視図である。
【００１８】
携帯電話機１は、ストレートタイプの携帯電話機１である。携帯電話機１は、筐体２と、筐体２に対して一定方向に所定量だけ滑動するように取り付けられた滑動部材３と、滑動部材３に連結されたストラップ４により構成されている。携帯電話機１は、通話機能に加えて防犯ブザー機能を有している。防犯ブザー機能とは、ユーザが危険を察知した場合に携帯電話機１に所定の操作を施すことで大音量を発生させて、周囲にいる人に注意を促す機能である。具体的には、携帯電話機１は、ストラップ４が所定の力で引っ張られると、滑動部材３が一定方向に所定量だけ滑動し、この滑動をトリガーとして、大音量でブザーが周囲に鳴り響くことにより、周囲にいる人に注意を促す。なお、この場合には、後述する制御部４５は、ストラップ４が所定の力で引っ張られたことにより防犯ブザーが鳴っている旨の通知を受け、提携している警備会社等にメール等の機能を利用して緊急通知を行う。
【００１９】
また、筐体２の前面２ａには、操作部１１と、表示部２１と、マイク１２と、スピーカ２２とが配置されている。操作部１１は、互いに異なる方向を指定する複数の方向指定キー１１ａ（方向指定手段）と、所定の機能を作動させるための機能作動キー１１ｂとを備える。ここで、複数の方向指定キー１１ａは、図１に示すように物理的に一つのキーの場合でも、上方向、右方向、下方向及び左方向にそれぞれ異なる機能が割り当てられていれば、複数の方向指定キーとする。本実施例においては、方向指定キー１１ａは、上方向を指定する上キー１１１と、下方向を指定する下キー１１２と、右方向を指定する右キー１１３と、左方向を指定する左キー１１４により構成される。なお、方向指定キー１１ａは、複数の方向に指定可能なものであれば良く、ジョイスティックやトラックボール、その他ポインティングデバイスであっても良い。
【００２０】
表示部２１は、液晶表示ディスプレイや有機ＥＬ（エレクトロルミネッセンス）ディスプレイ等から構成される。マイク１２は、携帯電話機１の使用者が通話時に発した音声を入力する。スピーカ２２は、携帯電話機１の使用時に通話の相手方の音声が出力する。
【００２１】
なお、携帯電話機１は、上述したストレートタイプに限定されることはない。すなわち、携帯電話機は、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、さらには、操作部側筐体と表示部側筐体とをヒンジ機構で結合させた折り畳み式であっても良い。
【００２２】
次に、携帯電話機１の機能構成について説明する。図２は、携帯電話機１の機能を示す機能ブロック図である。携帯電話機１は、操作部１１と、マイク１２と、メインアンテナ４０と、ＲＦ回路部４１と、画像処理部４２と、音声処理部４３と、メモリ４４と、制御部４５と、表示部２１と、スピーカ２２と、ドライバＩＣ２３とを備える。また、携帯電話機１は、滑動部材３と、ストラップ４を備え、ストラップ４が所定の力で引っ張られると、滑動部材３が一定方向に所定量だけ滑動し、その旨が制御部４５に通知されるようになっている。
【００２３】
メインアンテナ４０は、所定の使用周波数帯（例えば、８００ＭＨｚ）で基地局等の外部装置と通信を行う構成である。なお、本実施形態では、所定の使用周波数帯として、８００ＭＨｚとしたが、これ以外の周波数帯であっても良い。
【００２４】
ＲＦ回路部４１は、メインアンテナ４０によって受信した信号を復調処理し、処理後の信号を制御部４５に供給する。また、ＲＦ回路部４１は、制御部４５から供給された信号を変調処理し、メインアンテナ４０を介して外部装置に送信する。また、その一方で、ＲＦ回路部４１は、メインアンテナ４０によって受信している信号の強度（ＲＳＳＩ、Ｒｅｃｅｉｖｅｄ  Ｓｉｇｎａｌ  Ｓｔｒｅｎｇｔｈ  Ｉｎｄｉｃａｔｉｏｎ）を制御部４５に通知する。
【００２５】
画像処理部４２は、制御部４５の制御にしたがって、所定の画像処理を行い、処理後の画像データをドライバＩＣ２３に出力する。ドライバＩＣ２３は、画像処理部４２から供給された画像データをフレームメモリに蓄え、所定のタイミングで表示部２１に出力する。
【００２６】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２７】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２８】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていても良い。
【００２９】
制御部４５は、携帯電話機１の全体を制御しており、中央処理装置（ＣＰＵ）等を用いて構成される。
【００３０】
このように構成される携帯電話機１は、定型文を利用する機能と文字の変換を行う機能の利用を容易に選択して使い分けることを可能とする機能を有する。以下に、当該機能を発揮するための構成と動作について詳述する。
【００３１】
携帯電話機１は、上述したように、文字を入力するための操作部１１と、操作部１１の操作により入力された文字を表示する表示部２１を有する。制御部４５は、文字入力機能が起動している状態で、定型の文章を入力させる第１の処理と、操作部１１により入力された文字の変換を行なわせる第２の処理とが同一の操作手順により行われるように制御する。また、制御部４５は、操作部１１の操作により入力されて表示部２１に表示される入力文字の入力状態に応じて、操作手順により第１の処理を行うか又は第２の処理を行うかを切り替える。ここで、文字とは、平仮名、片仮名、英字、数字及び記号を含む概念である。
【００３２】
定型の文章とは、メールの作成において使用頻度が高い文章を定型の文章として予め登録されているものであって、例えば、「いまどこ？」や、「いってくる」や、「ついた」や、「かえる」等である。
【００３３】
第１の処理とは、定型の文章を提示し、その中から一の文章が選択されると、その選択された文章を表示部２１の文字入力領域に挿入するための操作のことである。携帯電話機１は、第１の処理により、ユーザに文字入力の手間を省かせることができ、簡易なメール作成を提供することができる。
【００３４】
また、第２の処理とは、所定の操作によって表示部２１の文字入力領域に文字を入力し、入力された文字（例えば、「きょう」）を他の文字（例えば、「今日」）に変換するための操作である。
【００３５】
また、携帯電話機１は、手軽に持ち運びが行えるように、表示部２１を含めて全体的にある程度の大きさに制限されるが、一方で、ユーザによる操作性を損なわないように、様々な工夫を凝らす必要がある。
【００３６】
本実施例では、制御部４５は、定型の文章を入力させる第１の処理と、操作部１１により入力された文字の変換を行なわせる第２の処理とを、同一の操作手順により行われるように制御している。つまり、制御部４５は、一の表示状態においては、第１の処理又は第２の処理のいずれか一方の操作のみ可能なように制御している。
【００３７】
さらに、制御部４５は、操作部１１の操作により入力されて表示部２１に表示される入力文字の入力状態に応じて、第１の処理を行うか又は第２の処理を行うかを切り替えるように制御している。
【００３８】
このようにして、携帯電話機１は、定型文を利用する機能と文字の変換を行う機能の利用を容易に選択して使い分けることができる。
【００３９】
また、制御部４５は、入力文字の入力状態において、少なくとも一の未確定文字を含む場合は、未確定文字が変換対象となるため、操作手順により第２の処理を行うように切り替えて、未確定文字の変換を可能とする構成でも良い。ここで、未確定文字とは、入力が確定される前の文字であり、例えば、カーソル等において選択される文字である。一旦、文字が確定されると、カーソル等の表示は消えて、文字の入力が確定される。
【００４０】
具体的には、制御部４５は、入力文字の入力状態が、少なくとも一の未確定文字を含む場合、すなわち、文字が入力されていないブランクの場合や、確定文字のみが入力されている場合には、変換対象となる文字が無いため第２の処理を行うように切り替える。
【００４１】
このようにして、携帯電話機１は、入力文字の入力状態に応じて、定型文を利用する機能と文字の変換を行う機能の利用を容易に選択して使い分けることができる。
【００４２】
また、制御部４５は、入力文字の入力状態において、一文字も入力されていない場合は、操作手順により第１の処理を行うように切り替えて、定型の文章の入力を可能とする構成でも良い。
【００４３】
つまり、制御部４５は、表示部２１の文字入力領域に一文字も入力されていないブランクの場合には、変換対象となる文字が無いため、第１の処理を行うように切り替える。
【００４４】
このようにして、携帯電話機１は、入力文字の入力状態に応じて、定型文を利用する機能と文字の変換を行う機能の利用を容易に選択して使い分けることができる。
【００４５】
また、制御部４５は、入力文字の入力状態において、入力文字が全て確定文字である場合は、操作手順により第１の処理を行うように切り替えて、定型の文章の入力を可能とする構成でも良い。
【００４６】
つまり、制御部４５は、表示部２１の文字入力領域に確定文字しか入力されていない場合には、変換対象となる文字が無いため、第１の処理を行うように切り替える。
【００４７】
このようにして、携帯電話機１は、入力文字の入力状態に応じて、定型文を利用する機能と文字の変換を行う機能の利用を容易に選択して使い分けることができる。
【００４８】
また、制御部４５は、入力文字の入力状態において、入力文字が英字、数字又は記号のいずれかのみである場合は、操作手順により第１の処理を行うように切り替えて、定型の文章の入力を可能とする構成でも良い。
【００４９】
つまり、制御部４５は、表示部２１の文字入力領域に英字、数字又は記号のいずれかのみである場合には、変換対象となる文字が無いため、第１の処理を行うように切り替える。
【００５０】
このようにして、携帯電話機１は、入力文字の入力状態に応じて、定型文を利用する機能と文字の変換を行う機能の利用を容易に選択して使い分けることができる。
【００５１】
また、制御部４５は、操作手順における第１の処理又は第２の処理の切り替えに応じて、表示部２１に表示されているソフトキーの表示をそれぞれの操作に適したものに切り替える構成でも良い。
【００５２】
具体的には、制御部４５は、第１の処理に切り替えた場合において、所定の操作により定型の文章が読み出されたときには、定型の文章を選択操作するためのソフトキーや選択された定型の文章を詳細表示するためのソフトキーを表示させる。また、制御部４５は、第２の処理に切り替えた場合において、所定の操作により文字が入力されたときには、入力された文字の変換候補を選択操作するためのソフトキーや文字の変換候補の表示を切り替えるためのソフトキーを表示させる。
【００５３】
このようにして、携帯電話機１は、入力文字の入力状態に応じて、定型文を利用する機能と文字の変換を行う機能の利用を容易に選択し、かつ選択した機能に適したソフトキー表示を行うことができる。
【００５４】
また、制御部４５は、操作部１１の操作により文字入力機能が起動された場合に、複数の文字から一の文字を選択するための文字パレットと、操作手順により第１の処理を行うことを示す情報を表示部２１に表示させる構成でも良い。ここで、文字入力機能が起動された場合は、一文字も入力されていない状態のため、変換対象となる文字が無く、操作手順により第１の処理を行うことを示す情報を表示部２１に表示させる。
【００５５】
このような構成によれば、携帯電話機１は、文字入力機能（例えば、メモ帳アプリケーションや、メールアプリケーション）が起動された場合に、文字パレットと共に第１の処理を行うことを示す情報を表示させるので、文字パレットによる文字入力をした後に、第２の処理に移行したり、文字パレットによる文字入力をすることなく、そのまま第１の処理を選択して定型の文章を選択入力したりすることができる。
【００５６】
このようにして、携帯電話機１は、文字入力機能の起動時に、定型文を利用する機能と文字の変換を行う機能の利用を容易に選択することができる。
【００５７】
つぎに、携帯電話機１により漢字変換を行う場合と定型文の入力を行う場合の動作について説明する。まず、携帯電話機１により漢字変換を行う場合の動作について、図３に示すフローチャートを参照しながら説明する。
【００５８】
ステップＳＴ１において、制御部４５は、文字入力機能（例えば、メモ帳アプリケーションやメールアプリケーション）が起動しているかどうかを判断する。文字入力機能が起動している場合（Ｙｅｓ）には、ステップＳＴ２に進み、文字の入力等が可能なアプリケーションが起動していない場合（Ｎｏ）には、ステップＳＴ１による工程の処理を繰り返す。
【００５９】
ステップＳＴ２において、制御部４５は、表示部２１の所定の領域Ａ２に文字パレットを表示する（図４（ａ）を参照）。
【００６０】
ステップＳＴ３において、制御部４５は、文字入力領域Ａ１に一文字も入力されていないため、第１の処理（定型文の入力操作）が可能なことを示す情報（図４（ａ）中の「ことば」）（ソフトキー）を表示する。なお、以下では、図４（ａ）中の「ことば」は、定型文ボタンと呼ぶ。
【００６１】
ステップＳＴ４において、制御部４５は、文字入力領域Ａ１に未確定状態の文字が入力されているか否かを判断する。ここで、文字は、以下のようにして入力される。制御部４５は、操作部１１による操作によって、文字パレットから選択された文字を表示部２１の文字入力領域Ａ１に入力する（図４（ｂ）を参照）。
また、未確定状態の文字が入力されている場合（Ｙｅｓ）には、ステップＳＴ５に進み、未確定状態の文字が入力されていない場合（Ｎｏ）には、ステップＳＴ６に進む。
【００６２】
ステップＳＴ５において、制御部４５は、未確定状態の文字が未確定のままかどうかを判断する。未確定状態のままの場合（Ｙｅｓ）には、ステップＳＴ７に進み、確定状態の場合（Ｎｏ）には、ステップＳＴ６に進む。
【００６３】
ステップＳＴ６において、制御部４５は、定型文ボタンを表示する。したがって、この状態においては、操作部１１による操作によって定型文ボタンを選択することにより、定型文を入力することができる。
【００６４】
また、ステップＳＴ７において、制御部４５は、定型文ボタンに代えて、第２の処理（文字の変換操作）が可能なことを示す情報（図４（ｂ）中の「かんじ」）（ソフトキー）を表示する。なお、以下では、図４（ｂ）中の「かんじ」は、漢字変換ボタンと呼ぶ。また、本実施例では、「あさ」が入力されたものとして説明を進める。
【００６５】
また、ステップＳＴ８において、制御部４５は、操作部１１による操作によって漢字変換ボタンが選択された場合、未確定状態の文字に対応する変換候補を所定の領域Ａ３に表示する（図４（ｃ）を参照）。なお、変換候補は、見やすいように所定の大きさの文字が所定の順序（例えば、使用者による使用頻度が高い順序等）で配列されているものとする。また、制御部４５は、変換候補が所定の領域Ａ３を超える場合には、表示部２１につぎのページがあることを示唆する「つぎへ」（ソフトキー）を表示する。制御部４５は、操作部１１の操作によって、「つぎへ」が選択されたばあいには、続きの変換候補を所定の領域Ａ３に表示する。
【００６６】
ステップＳＴ９において、制御部４５は、操作部１１による操作によって、表示されている変換候補の中から選択された文字を文字入力領域Ａ１に表示する。具体的には、制御部４５は、操作部１１による操作によって変換候補の中から「朝」が選択され（カーソルが「朝」の位置に移動される）、決定の操作が行われると、「あさ」に代えて「朝」を文字入力領域Ａ１に入力し、変換候補に代えて文字パレットを表示する（図４（ｄ））。
【００６７】
このようにして、携帯電話機１は、定型文を利用する機能と文字の変換を行う機能の利用を容易に選択して使い分けることができる。
【００６８】
つぎに、携帯電話機１により定型文の入力を行う場合の動作について、図５に示すフローチャートを参照しながら説明する。
【００６９】
ステップＳＴ１１において、制御部４５は、文字入力機能（例えば、メモ帳アプリケーションやメールアプリケーション）が起動しているかどうかを判断する。文字入力機能が起動している場合（Ｙｅｓ）には、ステップＳＴ１２に進み、文字入力機能が起動していない場合（Ｎｏ）には、ステップＳＴ１１による工程の処理を繰り返す。
【００７０】
ステップＳＴ１２において、制御部４５は、表示部２１の所定の領域Ａ２に文字パレットを表示する（図６（ａ）を参照）。
【００７１】
ステップＳＴ１３において、制御部４５は、文字入力領域Ａ１に一文字も入力されていないため、第１の処理（定型文の入力操作）が可能なことを示す情報（図６（ａ）中の「ことば」）（ソフトキー）を表示する。なお、以下では、図６（ａ）中の「ことば」は、定型文ボタンと呼ぶ。
【００７２】
ステップＳＴ１４において、制御部４５は、操作部１１による操作によって定型文ボタンが選択された場合、定型文候補を所定の領域Ａ４に表示し（図６（ｂ）を参照）、定型文候補の中から選択された定型文を文字入力領域Ａ１に表示する。
【００７３】
具体的には、制御部４５は、所定の領域Ａ４に定型文の候補を表示している状態において（図６（ｂ）中に示す一例では、「いまどこ？」、「いってくる」、「ついた」、「かえる」等）、「もどる」ボタン（ソフトキー）が操作部１１の操作によって選択された場合には、図６（ａ）の状態に戻る。
【００７４】
また、制御部４５は、図６（ｂ）に示す状態において、「みる」ボタン（ソフトキー）が操作部１１の操作によって選択された場合には、カーソルにより選択されている候補（図６（ｂ）に示す一例では「いまどこ？」）が表示部２１に表示される（図６（ｄ）を参照）。
【００７５】
また、制御部４５は、図６（ｂ）又は図６（ｄ）に示す状態において、「えらぶ」ボタンが操作部１１の操作によって選択された場合には、カーソルにより選択されている候補（図６（ｂ）に示す一例では「いまどこ？」）が表示部２１に表示される（図６（ｃ）を参照）。
【００７６】
また、制御部４５は、図６（ｄ）に示す状態において、「もどる」ボタンが操作部１１の操作によって選択された場合には、一つ前の表示状態（図６（ｂ）を参照）又は最初の表示状態（図６（ａ）を参照）に戻る。
【００７７】
このようにして、携帯電話機１は、定型文を利用する機能と文字の変換を行う機能の利用を容易に選択して使い分けることができる。
【００７８】
また、上述したように携帯電話機１は、文字入力方法としてワンタッチキーで操作可能な文字パレットを具備している。この文字パレットを操作部１１によって操作することにより、定型文の呼び出しによる入力、エディタからの文字入力が可能である。
【００７９】
また、文字編集用のアプリケーション（いわゆる、エディタ）による文字入力は、漢字変換に対応している。文字パレットには、入力可能な文字種、定型文ボタン、漢字変換ボタン等が表示される。定型文の入力ボタンと漢字変換ボタンは、表示スペースを共有し、文字入力領域Ａ１の入力状況によって切り替わる。
【００８０】
具体的には、携帯電話機１は、文字入力領域Ａ１に文字が未入力である場合には、漢字変換を行う可能性は無いため、定型文ボタンを表示する。また、携帯電話機１は、文字入力領域Ａ１に文字が入力されているが、未確定状態の場合には、定型文を呼び出す可能性は低いため、漢字変換ボタンを表示する。また、携帯電話機１は、文字入力領域Ａ１に文字が入力されているが、全て確定状態の場合は、漢字変換を行う可能性は無いため、定型文ボタンを表示する。また、携帯電話機１は、文字入力領域Ａ１に英数字が入力されている場合には、漢字変換ができないため、定型文ボタンを表示する。
【００８１】
また、文字パレットのレイアウトは、一見同じように見えるが、定型文入力の場合と漢字変換の場合とに応じて、ソフトキーが切り替わるように構成されている（例えば、図４（ａ）（ｂ）を参照）。
【００８２】
また、本実施例では、携帯電話機１は、文字パレットを用いて文字の入力等の編集作業が可能なものとして説明したが、これに限られず、通常の携帯電話機のように文字が割り当てられているキーを有する構成であっても良い。
【００８３】
なお、本実施例では、操作部１１は、付勢機能が付いたボタン式以外にも、タッチパネルによる構成も考えられる。
【符号の説明】
【００８４】
１  携帯電話機
３  滑動部材
４  ストラップ
１１  操作部
２１  表示部
４５  制御部
【図１】
0005722652.tif 000002
【図２】
0005722652.tif 000003
【図３】
0005722652.tif 000004
【図４】
0005722652.tif 000005
【図５】
0005722652.tif 000006
【図６】
0005722652.tif 000007